(57)【特許請求の範囲】
【請求項１】
１つの携帯端末を複数の看護師で共用するように成されたナースコールシステムであって、
上記携帯端末から看護師ＩＤを入力してログインが行われたときに、上記携帯端末と上記ログインした看護師とを対応付けてログイン情報としてログイン情報記憶部に記憶させるログイン処理部と、
患者からの呼び出しが行われたときに、その患者の担当看護師を特定する担当看護師特定部と、
上記担当看護師特定部により特定された上記担当看護師がログイン中の携帯端末を、上記ログイン情報記憶部を参照することによって特定する第１の端末特定部と、
上記第１の端末特定部により特定された携帯端末に対して呼び出しを実行する第１の呼出処理部と、
上記看護師がログインして使用し得る携帯端末を記憶した端末情報記憶部と、
上記患者からの呼び出しが行われたときに、上記端末情報記憶部を参照して、上記呼び出しを行った患者の担当看護師が使用し得る携帯端末を特定する第２の端末特定部と、
上記第２の端末特定部により特定された携帯端末のうち、上記第１の端末特定部により特定された携帯端末以外の携帯端末に対して呼び出しを実行する第２の呼出処理部と、
上記看護師毎に勤務帯を記憶した勤務帯情報記憶部と、
上記ログイン情報によりログイン中であることが示されている看護師のうち、上記勤務帯情報記憶部に記憶されている勤務帯の範囲内に現在時刻が属していない看護師である時間外看護師を特定する時間外看護師特定部と、
上記時間外看護師特定部により特定された上記時間外看護師がログイン中の携帯端末を、上記ログイン情報記憶部を参照することによって特定する第３の端末特定部と、
上記第３の端末特定部により特定された携帯端末に対して呼び出しを実行する第３の呼出処理部とを備えたことを特徴とするナースコールシステム。
【請求項２】
上記第１の端末特定部により上記担当看護師がログイン中の携帯端末を特定できない場合に限り、上記第２の端末特定部および上記第２の呼出処理部の処理を実行することを特徴とする請求項１に記載のナースコールシステム。
【請求項３】
上記第１の端末特定部により上記担当看護師がログイン中の携帯端末を特定できない場合に限り、上記時間外看護師特定部、上記第３の端末特定部および上記第３の呼出処理部の処理を実行することを特徴とする請求項１または２に記載のナースコールシステム。
【発明の詳細な説明】
【技術分野】
【０００１】
本発明は、ナースコールシステムに関し、特に、患者からの呼び出しを看護師に報知するための携帯端末を複数の看護師で共用するように成されたナースコールシステムに用いて好適なものである。
【背景技術】
【０００２】
一般に、ナースコールシステムは、患者が使用するナースコール子機と、ナースセンタに設置するナースコール親機とを備えて構成されている。また、看護師が携帯する携帯端末を更に備えたナースコールシステムも提供されている。この種のナースコールシステムでは、患者がナースコール子機の呼出ボタンを押下して呼び出しを行うと、呼び出しが行われたことがナースコール親機や携帯端末にて報知されるようになっている。
【０００３】
携帯端末を採用したナースコールシステムにおいて、一人の患者からの呼び出しを複数の携帯端末に報知し、最初に携帯端末で応答した看護師が患者と通話できるようになされた機能も提供されている。このような機能は、一人の患者を複数の看護師でサポートするチームナーシングを行う場合などに利用される。この場合は、患者とその患者を担当する複数の看護師とを関連付け情報として記憶しておき、患者からの呼び出しがあったときは、関連付け情報を参照して複数の担当看護師を特定し、担当看護師が所持する携帯端末に呼び出しを行う。
【０００４】
従来、１つの携帯端末（無線子機）を日勤、準夜勤、夜勤などの勤務帯が異なる複数の看護師で共用するようになされたナースコールシステムも知られている（例えば、特許文献１参照）。この特許文献１に記載のナースコールシステムでは、看護師が無線子機を使用する際に、無線子機の子機入力デバイスに看護師のユーザＩＤを入力することで、看護師のユーザＩＤと無線子機の内線番号および看護師名との関連付けデータをナースコール用サーバにおいて作成する。これにより、かかる関連付けデータをもとに、無線子機を使用する看護師名や、勤務時間としての看護師のログイン／ログアウト情報を記録させることができるようになっている。
【０００５】
しかしながら、看護師がユーザＩＤを入力してログインすることを忘れると、患者がナースコール子機の呼出ボタンを押下して呼び出しを行っても、ログインされていない携帯端末には呼び出しが行われない。ここで、同じチームの中でログインしている携帯端末が少ない場合には、患者からの呼び出しに応答できる担当看護師の数が少なくなる。そして、それらの担当看護師が呼び出しの発生時に他の看護業務に携わっていると、呼び出しに対する応答が遅れてしまったり、応答できなかったりして、患者が待たされてしまうという問題があった。
【０００６】
このような問題に対して、ログインした携帯端末に加えて、ログインしていない状態の携帯端末に対しても呼び出しを行うようにした技術が知られている（例えば、特許文献２参照）。特許文献２に記載のナースコールシステムでは、ログイン認証を行ったときに、看護師の内線番号を携帯端末に送信して設定する仕組みのため、ログイン認証されていない携帯端末に対しては内線番号による呼び出しができない。そのため、端末ＩＤを内線番号と見立てて呼び出しを実施するようにしている。
【０００７】
具体的には、ナースコール子機と患者とを関連付けた患者テーブルと、患者毎に複数の携帯端末を関連付けた患者・端末情報とを参照して、呼び出しが行われたナースコール子機に対応する端末ＩＤを特定して呼び出しを実施する。ただし、ログイン認証された携帯端末が１台でもある場合は、先ずその携帯端末に対して呼出信号を送信し、その後所定時間が経過しても応答が無い場合に、ログイン認証されてない携帯端末に対しても呼出信号を送信する。
【先行技術文献】
【特許文献】
【０００８】
【特許文献１】特開２００５−２８７５６９公報
【特許文献２】特開２０１５−６１２２６公報
【発明の概要】
【発明が解決しようとする課題】
【０００９】
しかしながら、特許文献２に記載の技術では、ログイン認証された携帯端末に加え、ログイン認証されていない携帯端末を呼び出すようにしている。そのため、前の勤務帯の看護師が携帯端末のログアウトを忘れて、かつ、次にその携帯端末を使用する看護師がログインを忘れていると、ログインを忘れた看護師が担当する患者からの呼び出しがその携帯端末に対しては行われなくなってしまうという問題があった。
【００１０】
本発明は、このような問題を解決するために成されたものであり、１つの携帯端末を複数の看護師で共用するように成されたナースコールシステムにおいて、携帯端末を使用する看護師がログインを忘れていた場合でも、患者からの呼び出しを担当看護師の携帯端末に対して確実に報知できるようにすることを目的とする。
【課題を解決するための手段】
【００１１】
上記した課題を解決するために、本発明では、患者からの呼び出しが行われたときに、当該患者の担当看護師がログイン中の携帯端末に対して呼び出しを実行することに加えて、当該患者の担当看護師がログインして使用し得る携帯端末を特定し、当該特定した携帯端末のうち、担当看護師がログイン中の携帯端末以外の携帯端末に対して呼び出しを実行するようにしている。さらに、本発明は、看護師毎に勤務帯を記憶した勤務帯情報記憶部を備え、携帯端末から看護師ＩＤを入力してログインが行われたときに記憶されるログイン情報によってログイン中であることが示されている看護師のうち、勤務帯情報記憶部に記憶されている勤務帯の範囲内に現在時刻が属していない看護師である時間外看護師を特定し、当該時間外看護師がログイン中の携帯端末をログイン情報から特定して呼び出しを実行するようにしている。
【発明の効果】
【００１２】
上記のように構成した本発明によれば、携帯端末を所持している看護師がログインを忘れていた場合でも、呼び出しを行った患者の担当看護師が使用し得る携帯端末のうちログイン状態にない携帯端末に対しても呼び出しが実行される。また、看護師が所持している携帯端末を前に使用していた看護師がログアウトを忘れていて未だにログイン状態にあったとしても、その携帯端末は時間外看護師がログイン中の携帯端末として特定され、当該携帯端末に対しても呼び出しが実行される。これにより、携帯端末を使用する看護師がログインを忘れていた場合でもあっても、患者からの呼び出しを担当看護師の携帯端末に対して確実に報知することができる。
【図面の簡単な説明】
【００１３】
【図１】本実施形態によるナースコールシステムの全体構成例を示す図である。
【図２】本実施形態によるナースコール親機の機能構成例を示すブロック図である。
【図３】本実施形態の患者情報記憶部に記憶される患者情報の一例を示す図である。
【図４】本実施形態の担当看護師記憶部に記憶される担当看護師情報の一例を示す図である。
【図５】本実施形態の連絡先記憶部に記憶される連絡先情報の一例を示す図である。
【図６】本実施形態の端末情報記憶部に記憶される端末情報の一例を示す図である。
【図７】本実施形態のログイン情報記憶部に記憶されるログイン情報の一例を示す図である。
【図８】本実施形態によるナースコール親機の動作例を示すフローチャートである。
【発明を実施するための形態】
【００１４】
以下、本発明の一実施形態を図面に基づいて説明する。図１は、本実施形態によるナースコールシステムの全体構成例を示す図である。なお、ここでは病院に設置されるナースコールシステムを例にとって説明するが、本実施形態のナースコールシステムは、病院に設置されるものに限定されない。例えば、介護施設等に設置される場合にも適用可能である。
【００１５】
図１に示すように、本実施形態のナースコールシステムは、ナースコール親機１、制御機２、廊下灯３、壁埋込形子機４、ナースコール子機（例えば、ハンド形子機）５、ハンディナースコール主装置６、構内交換機（ＰＢＸ）７、無線基地局８および携帯端末（例えば、ＩＰ電話またはスマートフォン）１０を備えて構成されている。
【００１６】
ナースコール親機１は、患者（ナースコール子機５）からの呼び出しを報知するためのものであり、例えばナースセンタに設置される。ナースコール親機１は、患者からの呼び出しを受けると、呼び出しがあったことを画面表示および呼出音の出力によって報知する。また、ナースコール親機１は、呼び出しを行った患者の担当看護師を特定し、当該担当看護師が所持する携帯端末１０に対して呼び出しを行う。そして、ナースコール親機１または携帯端末１０の何れかで看護師が応答の操作をすると、ナースコール親機１はナースコール子機５との間に通話路を形成する。
【００１７】
制御機２は、ナースコール親機１と廊下灯３との間に配置され、通話やデータの送受信に関する制御を行う。廊下灯３は、病院の各病室の入口付近外部に設置される。この廊下灯３は、表示装置を備え、病室内の患者名が表示されるとともに、病室内の患者がナースコール子機５を用いて看護師の呼び出しを行うと、呼び出しが行われたことが表示されるようになっている。
【００１８】
壁埋込形子機４は、病室の各ベッドサイドの壁に埋め込み設置され、廊下灯３に接続されている。この壁埋込形子機４は、ナースコール子機５を接続するための接続端子を備えている。ナースコール子機５は、壁埋込形子機４に接続される。このナースコール子機５は、患者が看護師を呼び出すための呼出ボタン、患者が看護師と会話を行う際に使用するマイクおよびスピーカを備えている。
【００１９】
なお、上述の壁埋込形子機４は、患者が看護師を呼び出すための呼出ボタン、患者が看護師と会話を行う際に使用するマイクおよびスピーカを更に備えていてもよい。この場合は、壁埋込形子機４もナースコール子機として機能する。
【００２０】
ハンディナースコール主装置６は、ＰＢＸ７を介して、看護師が所持する携帯端末１０との間で通話やデータの送受信に関する制御を行う。このハンディナースコール主装置６は、例えば病院内の通信センタに設置され、ナースコール親機１と接続されている。無線基地局８は、携帯端末１０との間で通話やデータの無線通信をするためのものであり、ＰＢＸ７と接続されている。
【００２１】
本実施形態では、１つ携帯端末１０を複数の看護師で共用する。看護師が携帯端末１０の使用を開始する際（勤務の開始時）には、携帯端末１０を操作して、ナースコールシステムへのログインを行う。また、看護師が携帯端末１０の使用を終了する際（勤務の終了時）には、携帯端末１０を操作して、ナースコールシステムからのログアウトを行う。
【００２２】
図２は、本実施形態によるナースコール親機１の機能構成例を示すブロック図である。図２に示すように、本実施形態によるナースコール親機１は、その機能構成として、ログイン処理部１０１、呼出受付部１０２、担当看護師特定部１０３、第１の端末特定部１０４、第１の呼出処理部１０５、第２の端末特定部１０６、第２の呼出処理部１０７、時間外看護師特定部１０８、第３の端末特定部１０９および第３の呼出処理部１１０を備えている。また、本実施形態のナースコール親機１は、各種情報を記憶する記憶媒体として、患者情報記憶部１２１、担当看護師記憶部１２２、連絡先記憶部１２３、端末情報記憶部１２４、勤怠情報記憶部１２５およびログイン情報記憶部１２６を備えている。
【００２３】
なお、上記各機能ブロック１０１〜１１０は、ハードウェア構成、ＤＳＰ（Digital Signal Processor）、ソフトウェアの何れによっても実現することが可能である。例えばソフトウェアによって実現する場合、上記各機能ブロック１０１〜１１０は、実際にはコンピュータのＣＰＵあるいはＭＰＵ、ＲＡＭ、ＲＯＭなどを備えて構成され、ＲＡＭやＲＯＭに記憶されたプログラムが動作することによって実現できる。
【００２４】
患者情報記憶部１２１は、患者に関する情報（氏名、年齢、性別、症状、病室の部屋番号、患者が使用しているベッドを識別するベッド番号、患者を識別するための患者ＩＤ、使用するナースコール子機５を識別するための子機ＩＤなどの各種情報）を記憶する。なお、本実施形態の動作を実現するための情報としては、図３に示すように、少なくとも患者ＩＤと子機ＩＤとを関連付けた情報があればよい。
【００２５】
担当看護師記憶部１２２は、患者とその担当看護師とを関連付けてなる担当看護師情報を記憶する。例えば、担当看護師記憶部１２２は、図４に示すように、患者を識別するための患者ＩＤと、その患者の担当看護師を識別するための看護師ＩＤとを関連付けて記憶する。一人の患者を複数の看護師で担当する場合（チームナーシングを行う場合）は、１つの患者ＩＤに対して複数の看護師ＩＤが関連付けられる。
【００２６】
連絡先記憶部１２３は、看護師と当該看護師が所持する携帯端末１０の連絡先に関する情報（内線番号など）とを関連付けてなる連絡先情報を記憶する。例えば、連絡先記憶部１２３は、図５に示すように、看護師を識別するための看護師ＩＤと、看護師が使用する携帯端末１０の内線番号とを関連付けて記憶する。
【００２７】
端末情報記憶部１２４は、看護師がナースコールシステムにログインして使用し得る携帯端末１０の情報を記憶する。上述のように、本実施形態では、１つ携帯端末１０を複数の看護師で共用するが、一人の看護師が使用可能な携帯端末１０は限定されているものとする。例えば、図６（ａ）に示すように、端末情報記憶部１２４は、どの看護師がどの携帯端末１０を使用可能であるかを示すための情報として、看護師を識別するための看護師ＩＤと、その看護師が使用可能な携帯端末１０を識別するための端末ＩＤとを関連付けて記憶する。なお、一人の看護師に対して使用可能な携帯端末１０が複数台割り当てられている場合は、１つの看護師ＩＤに対して複数の端末ＩＤが関連付けられる。
【００２８】
なお、端末情報記憶部１２４は、図６（ｂ）に示すように、どの携帯端末１００をどの看護師で共用するかを示すための情報として、携帯端末１０を識別するための端末ＩＤと、その携帯端末１０を共用する複数の看護師を識別するための看護師ＩＤとを関連付けて記憶するようにしてもよい。
【００２９】
勤怠情報記憶部１２５は、各看護師の勤怠情報を記憶する。本実施形態では、看護師毎に勤務帯（日勤、準夜勤、夜勤など）を示す情報を記憶する。ここで、日勤の場合の勤務時間（勤務開始時間および勤務終了時間）、準夜勤の場合の勤務時間、夜勤の場合の勤務時間はあらかじめ決められているものとする。
【００３０】
ログイン情報記憶部１２６は、ナースコールシステムにログイン中の看護師に関する情報を記憶する。例えば、図６に示すように、ログイン情報記憶部１２６は、ログイン中の看護師を識別するための看護師ＩＤと、その看護師がログインに使用した携帯端末１０を識別するための端末ＩＤと、その看護師の連絡先である内線番号とを関連付けて記憶する。
【００３１】
ログイン処理部１０１は、携帯端末１０から看護師ＩＤを入力してログインが行われたときに、その携帯端末１０と、ログインした看護師とを対応付けてログイン情報としてログイン情報記憶部１２６に記憶させる。具体的には、携帯端末１０からのログインは、看護師が看護師ＩＤを入力して行う。携帯端末１０は、入力された看護師ＩＤと、自身の端末ＩＤとをナースコール親機１に送信してログイン処理を要求する。
【００３２】
ナースコール親機１のログイン処理部１０１は、携帯端末１０から受信した看護師ＩＤおよび端末ＩＤをもとに端末情報記憶部１２４を参照し、看護師に対して使用が認められた携帯端末１０からログインが行われているか否かの認証を行う。そして、この認証に成功した場合、ログイン処理部１０１は、連絡先記憶部１２３を参照して、ログインした看護師の連絡先である内線番号を取得する。
【００３３】
そして、ログイン処理部１０１は、看護師ＩＤと端末ＩＤと内線番号とを関連付けてログイン情報としてログイン情報記憶部１２６に記憶させる。また、ログイン処理部１０１は、取得した内線番号を、ログインを行ってきた携帯端末１０に送信する。携帯端末１０は、ナースコール親機１から取得した内線番号を設定する。これにより、携帯端末１０は、この内線番号を使ってナースコール親機１からの呼び出しを受けることが可能な状態となる。
【００３４】
呼出受付部１０２は、ナースコール子機５からの呼び出しを受け付けて、ナースコール親機１での所定の報知処理を行う。すなわち、呼出受付部１０２は、ナースコール子機５から廊下灯３および制御機２を介して送られてくる呼出信号を受信する。そして、受信した呼出信号によって伝えられる子機ＩＤに基づいて、患者情報記憶部１２１を参照することにより、呼び出しを行った患者の患者ＩＤを特定する。さらに、特定した患者ＩＤに対応する患者情報をディスプレイ（図示せず）に表示するとともに、呼出音をスピーカ（図示せず）から出力する。
【００３５】
担当看護師特定部１０３は、患者からの呼び出しが行われたとき（呼出受付部１０２がナースコール子機５からの呼出信号を受信したとき）、呼出受付部１０２が患者情報記憶部１２１を参照して子機ＩＤから特定した患者ＩＤに基づいて、担当看護師記憶部１２２を参照することにより、呼び出しを行った患者の担当看護師を特定する（看護師ＩＤを取得する）。
【００３６】
なお、担当看護師記憶部１２２は、患者が使用するナースコール子機５を識別するための子機ＩＤと、その患者の担当看護師を識別するための看護師ＩＤとを関連付けて記憶したものであってもよい。この場合、担当看護師特定部１０３は、呼出受付部１０２が受信した呼出信号によって伝えられる子機ＩＤに基づいて、担当看護師記憶部１２２を参照することにより、呼び出しを行った患者の担当看護師を特定する。
【００３７】
第１の端末特定部１０４は、担当看護師特定部１０３により特定された担当看護師の看護師ＩＤをもとにログイン情報記憶部１２６を参照することにより、担当看護師特定部１０３により特定された担当看護師のうち、ナースコールシステムにログイン中の看護師の携帯端末１０を特定する。ここで、第１の端末特定部１０４は、ナースコールシステムにログイン中の担当看護師が現在使用している携帯端末１０の内線番号をログイン情報記憶部１２６から取得する。
【００３８】
第１の呼出処理部１０５は、第１の端末特定部１０４により特定された携帯端末１０に対して呼び出しを実行する。すなわち、第１の呼出処理部１０５は、第１の端末特定部１０４により取得された内線番号を利用して、携帯端末１０に対する呼び出しを行う。
【００３９】
第２の端末特定部１０６は、患者からの呼び出しが行われたとき（呼出受付部１０２がナースコール子機５からの呼出信号を受信したとき）、担当看護師特定部１０３により特定された担当看護師の看護師ＩＤをもとに端末情報記憶部１２４を参照することにより、呼び出しを行った患者の担当看護師が使用し得る携帯端末１０を特定する（携帯端末１０の端末ＩＤを取得する）。
【００４０】
第２の呼出処理部１０７は、第２の端末特定部１０６により特定された携帯端末１０のうち、第１の端末特定部１０４により特定された携帯端末１０以外の携帯端末１０に対して呼び出しを実行する。ここで、呼び出しを行った患者の担当看護師が全員ログイン中であれば、それらの担当看護師が使用している携帯端末１０が第１の端末特定部１０４によって特定されるので、第２の呼出処理部１０７による呼び出しは行われない。
【００４１】
これに対して、ある担当看護師がログインを忘れていると、その担当看護師が使用し得る携帯端末１０が第２の端末特定部１０６により特定され、特定された携帯端末１０に対する呼び出しが第２の呼出処理部１０７により実行される。なお、この場合の呼び出しは、携帯端末１０がログインをしていないので内線番号を使えない。よって、第２の呼出処理部１０７は、第２の端末特定部１０６が端末情報記憶部１２４から取得した携帯端末１０の端末ＩＤを宛て先として呼び出しを実行する。
【００４２】
時間外看護師特定部１０８は、ログイン情報記憶部１２６に記憶されたログイン情報によりログイン中であることが示されている看護師のうち、勤務帯情報記憶部１２５に記憶されている勤務帯の範囲内に現在時刻が属していない看護師（以下、時間外看護師という）を特定する。通常、看護師は勤務時間の終了時にログアウトを行う。しかし、ある看護師が携帯端末１０のログアウトを忘れていて、かつ、次に同じ携帯端末１０を使用している別の看護師がログインを忘れていると、ログイン情報記憶部１２６には、勤務を終了したはずの看護師のログイン情報が記憶されたままとなっている。時間外看護師特定部１０８は、このようなログアウトを忘れた勤務帯以外の看護師を特定するものである。
【００４３】
すなわち、時間外看護師特定部１０８は、ログイン情報記憶部１２６に記憶されている看護師ＩＤを取得し、その看護師ＩＤをもとに勤務帯情報記憶部１２５を参照することにより、ログイン中の看護師の勤務帯をそれぞれ特定する。そして、特定した勤務帯を現在時刻と照合することにより、勤務帯の範囲内に現在時刻が属していない看護師ＩＤを特定する。
【００４４】
第３の端末特定部１０９は、時間外看護師特定部１０８により特定された時間外看護師の看護師ＩＤをもとにログイン情報記憶部１２６を参照することにより、当該時間外看護師がログイン中の携帯端末１０を特定する。ここで、第３の端末特定部１０９は、時間外看護師がログイン中の携帯端末１０の内線番号をログイン情報記憶部１２６から取得する。
【００４５】
第３の呼出処理部１１０は、第３の端末特定部１０９により特定された携帯端末１０に対して呼び出しを実行する。すなわち、第３の呼出処理部１１０は、第３の端末特定部１０９により取得された内線番号を利用して、携帯端末１０に対する呼び出しを行う。
【００４６】
図８は、上記のように構成したナースコール親機１の動作例を示すフローチャートである。なお、図８に示すフローチャートの処理は、ナースコール親機１がナースコール子機５から呼出信号を受信したときに開始する。
【００４７】
ナースコール親機１がナースコール子機５からの呼出信号を受信すると、まず、呼出受付部１０２は、受信した呼出信号によって伝えられる子機ＩＤに基づいて、患者情報記憶部１２１を参照することにより、呼び出しを行った患者を特定する（ステップＳ１）。さらに、担当看護師特定部１０３は、呼出受付部１０２が特定した患者の患者ＩＤに基づいて、担当看護師記憶部１２２を参照することにより、呼び出しを行った患者の担当看護師を特定する（ステップＳ２）。
【００４８】
次に、第１の端末特定部１０４は、ログイン情報記憶部１２６を参照することにより、担当看護師特定部１０３により特定された担当看護師のうち、ナースコールシステムにログイン中の看護師の携帯端末１０を特定し、当該携帯端末１００の内緯番号をログイン情報記憶部１２６から取得する（ステップＳ３）。そして、第１の呼出処理部１０５は、第１の端末特定部１０４により特定された携帯端末１０に対して内線番号による呼び出しを実行する（ステップＳ４）。
【００４９】
また、第２の端末特定部１０６は、担当看護師特定部１０３により特定された担当看護師の看護師ＩＤをもとに端末情報記憶部１２４を参照することにより、呼び出しを行った患者の担当看護師が使用し得る携帯端末１０を特定する（ステップＳ５）。次いで、第２の呼出処理部１０７は、第２の端末特定部１０６により特定された携帯端末１０の中に、第１の端末特定部１０４により特定された携帯端末１０以外の携帯端末１０（担当看護師がログインしていない携帯端末１０）があるか否かを判定する（ステップＳ６）。
【００５０】
ここで、担当看護師がログインしていない携帯端末１０があると判定された場合、第２の呼出処理部１０７は、そのログインしていない携帯端末１０に対して端末ＩＤによる呼び出しを実行する（ステップＳ７）。一方、担当看護師がログインしていない携帯端末１０がないと判定された場合、第２の呼出処理部１０７はステップＳ７の呼出処理を行わない。
【００５１】
次に、時間外看護師特定部１０８は、ログイン情報によりログイン中であることが示されている看護師のうち、勤務帯の範囲内に現在時刻が属していない時間外看護師を特定する（ステップＳ８）。そして、第３の端末特定部１０９は、時間外看護師特定部１０８により時間外看護師が特定されたか否かを判定する（ステップＳ９）。
【００５２】
ここで、時間外看護師特定部１０８により時間外看護師が特定された場合、第３の端末特定部１０９は、その時間外看護師の看護師ＩＤをもとにログイン情報記憶部１２６を参照することにより、当該時間外看護師がログイン中の携帯端末１０を特定する（ステップＳ１０）。そして、第３の呼出処理部１１０は、第３の端末特定部１０９により特定された携帯端末１０に対して内線番号による呼び出しを実行する（ステップＳ１１）。これにより、図８に示すフローチャートの処理を終了する。
【００５３】
一方、時間外看護師特定部１０８により時間外看護師が特定されなかった場合は、ステップＳ１０，Ｓ１１の呼出処理は行わず、図８に示すフローチャートの処理を終了する。
【００５４】
以上詳しく説明したように、本実施形態のナースコールシステムによれば、呼び出しを行った患者の担当看護師が使用し得る携帯端末１０のうち、ログイン状態にない携帯端末１０が第２の端末特定部１０６により特定され、当該ログインしていない携帯端末１０に対して、第２の呼出処理部１０７により呼び出しが実行される。これにより、共用の携帯端末１０を所持している看護師がログインを忘れていた場合でも、その携帯端末１０に対して呼び出しを行うことができる。
【００５５】
また、本実施形態のナースコールシステムによれば、勤務帯ではない時間外看護師がログイン中の携帯端末１０が第３の端末特定部１０９により特定され、当該時間外看護師がログイン中の携帯端末１０に対して、第３の呼出処理部１１０により呼び出しが実行される。これにより、看護師が所持している携帯端末１０を前に使用していた別の看護師がログアウトを忘れていて、かつ、携帯端末１０を所持している看護師がログインを忘れていた場合でもあっても、その携帯端末１０に対して呼び出しを行うことができる。
【００５６】
以上により、本実施形態のナースコールシステムによれば、携帯端末１０を使用する看護師がログインを忘れていた場合でも、患者からの呼び出しを担当看護師の携帯端末１０に対して確実に報知することができる。
【００５７】
なお、上記実施形態において、第１の端末特定部１０４により担当看護師がログイン中の携帯端末１０を特定できない場合に限り、第２の端末特定部１０６および第２の呼出処理部１０７の処理を実行するようにしてもよい。同様に、第１の端末特定部１０４により担当看護師がログイン中の携帯端末１０を特定できない場合に限り、時間外看護師特定部１０８、第３の端末特定部１０９および第３の呼出処理部１１０の処理を実行するようにしてもよい。
【００５８】
また、上記実施形態では、第１の呼出処理部１０５および第３の呼出処理部１１０が内線番号による呼び出しを行う例について説明したが、本発明はこれに限定されない。例えば、第１の呼出処理部１０５および第３の呼出処理部１１０も第２の呼出処理部１０７と同様に、端末ＩＤによる呼び出しを行うようにしてもよい。
【００５９】
また、上記実施形態では、端末情報記憶部１２４において看護師ＩＤと端末ＩＤとを関連付けて記憶しておき、第２の端末特定部１０６が、担当看護師特定部１０３により特定された担当看護師の看護師ＩＤをもとに端末情報記憶部１２４を参照することにより、呼び出しを行った患者の担当看護師が使用し得る携帯端末１０を特定する例について説明したが、本発明はこれに限定されない。
【００６０】
例えば、端末情報記憶部１２４において、患者を識別するための患者ＩＤと、その患者の担当看護師が使用し得る携帯端末１０の端末ＩＤとを関連付けて記憶しておき、第２の端末特定部１０６が、呼出受付部１０２により特定された患者ＩＤをもとに端末情報記憶部１２４を参照することにより、呼び出しを行った患者の担当看護師が使用し得る携帯端末１０を特定するようにしてもよい。
【００６１】
また、上記実施形態では、ログイン中の看護師の勤務帯をそれぞれ特定し、特定した勤務帯を現在時刻と照合することにより、勤務帯の範囲内に現在時刻が属していない看護師ＩＤを特定するようにしているが、本発明はこれに限定されない。例えば、各勤務帯に所定時間（例えば、３０分程度）の重複期間を設け、その重複期間については、その重複期間の前の勤務帯の看護師の業務が継続しているとして、その看護師がログイン中の携帯端末に対して呼び出しを行わないようにしても良い。
【００６２】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００６３】
１  ナースコール親機
５  ナースコール子機
１０  携帯端末
１０１  ログイン処理部
１０２  呼出受付部
１０３  担当看護師特定部
１０４  第１の端末特定部
１０５  第１の呼出処理部
１０６  第２の端末特定部
１０７  第２の呼出処理部
１０８  時間外看護師特定部
１０９  第３の端末特定部
１１０  第３の呼出処理部
１２２  担当看護師記憶部
１２４  端末情報記憶部
１２５  勤務帯情報記憶部
１２６  ログイン情報記憶部
【図１】
0006503247.tif 000002
【図２】
0006503247.tif 000003
【図３】
0006503247.tif 000004
【図４】
0006503247.tif 000005
【図５】
0006503247.tif 000006
【図６】
0006503247.tif 000007
【図７】
0006503247.tif 000008
【図８】
0006503247.tif 000009